Podtech/llm-jp-corpus-v4-ja_patent huggingface dataset:
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
車両（１０）に搭載されることで当該車両の駐車スペース（ＰＳ）への駐車を支援するように構成された、駐車支援装置（２０）であって、
前記車両の周囲の画像に対応する画像情報を取得するように設けられた、撮像部（２２）と、
前記撮像部により取得された前記画像情報を処理することで、前記画像中の特徴形状を認識するように設けられた、画像処理部（Ｓ４６、Ｓ４７）と、
前記駐車スペースの周囲に存在する障害物と前記車両との位置関係に対応する位置関係情報を取得するように設けられた、障害物検知部（Ｓ４２、Ｓ４３）と、
前記画像処理部により認識された前記特徴形状と、前記障害物検知部により取得された前記位置関係情報とに基づいて、前記駐車スペースへの前記車両の駐車態様を、並列駐車及び縦列駐車を含む複数の態様候補のうちから選択するように設けられた、駐車態様選択部（Ｓ５７５、Ｓ５８０、Ｓ５８５）と、
を備え、
前記駐車態様選択部は、前記障害物検知部により取得された前記位置関係情報に基づく前記態様候補の尤度と、前記特徴形状としての、白線、駐車車両のタイヤ、前記駐車車両のナンバープレートのうちの少なくともいずれか一つの認識結果に基づく前記態様候補の尤度とを統合することで、複数の前記態様候補の各々における最終的な尤度を算出し、算出した複数の前記態様候補の各々における前記最終的な尤度を比較することで、前記駐車態様を複数の前記態様候補のうちから選択するように構成された、駐車支援装置。
【請求項２】
探査波を前記車両の外側に向けて発信するとともに、前記障害物による前記探査波の反射波を含み前記車両と前記障害物との距離に応じた強度を有する受信波を受信するように設けられた、測距センサ（２１）をさらに備え、
前記障害物検知部は、前記測距センサによる前記受信波の受信結果に基づいて、前記位置関係情報を取得するように設けられた、
請求項１に記載の駐車支援装置。
【請求項３】
車両（１０）に搭載されることで当該車両の駐車スペース（ＰＳ）への駐車を支援するように構成された駐車支援装置（２０）の制御部（２６）であって、
前記車両の周囲の画像に対応する画像情報を取得するように設けられた撮像部（２２）により取得された前記画像情報を処理することで、前記画像中の特徴形状を認識するように設けられた、画像処理部（Ｓ４６、Ｓ４７）と、
前記駐車スペースの周囲に存在する障害物と前記車両との位置関係に対応する位置関係情報を取得するように設けられた、障害物検知部（Ｓ４２、Ｓ４３）と、
前記画像処理部により認識された前記特徴形状と、前記障害物検知部により取得された前記位置関係情報とに基づいて、前記駐車スペースへの前記車両の駐車態様を、並列駐車及び縦列駐車を含む複数の態様候補のうちから選択するように設けられた、駐車態様選択部（Ｓ５７５、Ｓ５８０、Ｓ５８５）と、
を備え、
前記駐車態様選択部は、前記障害物検知部により取得された前記位置関係情報に基づく前記態様候補の尤度と、前記特徴形状としての、白線、駐車車両のタイヤ、前記駐車車両のナンバープレートのうちの少なくともいずれか一つの認識結果に基づく前記態様候補の尤度とを統合することで、複数の前記態様候補の各々における最終的な尤度を算出し、算出した複数の前記態様候補の各々における前記最終的な尤度を比較することで、前記駐車態様を複数の前記態様候補のうちから選択するように構成された、駐車支援装置の制御部。
【請求項４】
前記障害物検知部は、探査波を前記車両の外側に向けて発信するとともに前記障害物による前記探査波の反射波を含み前記車両と前記障害物との距離に応じた強度を有する受信波を受信するように設けられた測距センサ（２１）による前記受信波の受信結果に基づいて、前記位置関係情報を取得するように設けられた、
請求項３に記載の駐車支援装置の制御部。
【手続補正２】
【補正対象書類名】明細書
【補正対象項目名】発明の名称
【補正方法】変更
【補正の内容】
【発明の名称】駐車支援装置およびその制御部
【手続補正３】
【補正対象書類名】明細書
【補正対象項目名】０００１
【補正方法】変更
【補正の内容】
【０００１】
本発明は、駐車支援装置およびその制御部に関する。
【手続補正４】
【補正対象書類名】明細書
【補正対象項目名】０００５
【補正方法】変更
【補正の内容】
【０００５】
駐車支援装置（２０）は、車両（１０）に搭載されることで、当該車両の駐車スペース（ＰＳ）への駐車を支援するように構成されている。
請求項１に記載の駐車支援装置は、
前記車両の周囲の画像に対応する画像情報を取得するように設けられた、撮像部（２２）と、
前記撮像部により取得された前記画像情報を処理することで、前記画像中の特徴形状を認識するように設けられた、画像処理部（Ｓ４６、Ｓ４７）と、
前記駐車スペースの周囲に存在する障害物と前記車両との位置関係に対応する位置関係情報を取得するように設けられた、障害物検知部（Ｓ４２、Ｓ４３）と、
前記画像処理部により認識された前記特徴形状と、前記障害物検知部により取得された前記位置関係情報とに基づいて、前記駐車スペースへの前記車両の駐車態様を、並列駐車及び縦列駐車を含む複数の態様候補のうちから選択するように設けられた、駐車態様選択部（Ｓ５７５、Ｓ５８０、Ｓ５８５）と、
を備え、
前記駐車態様選択部は、前記障害物検知部により取得された前記位置関係情報に基づく前記態様候補の尤度と、前記特徴形状としての、白線、駐車車両のタイヤ、前記駐車車両のナンバープレートのうちの少なくともいずれか一つの認識結果に基づく前記態様候補の尤度とを統合することで、複数の前記態様候補の各々における最終的な尤度を算出し、算出した複数の前記態様候補の各々における前記最終的な尤度を比較することで、前記駐車態様を複数の前記態様候補のうちから選択するように構成されている。
請求項３に記載の、駐車支援装置の制御部（２６）は、
前記車両の周囲の画像に対応する画像情報を取得するように設けられた撮像部（２２）により取得された前記画像情報を処理することで、前記画像中の特徴形状を認識するように設けられた、画像処理部（Ｓ４６、Ｓ４７）と、
前記駐車スペースの周囲に存在する障害物と前記車両との位置関係に対応する位置関係情報を取得するように設けられた、障害物検知部（Ｓ４２、Ｓ４３）と、
前記画像処理部により認識された前記特徴形状と、前記障害物検知部により取得された前記位置関係情報とに基づいて、前記駐車スペースへの前記車両の駐車態様を、並列駐車及び縦列駐車を含む複数の態様候補のうちから選択するように設けられた、駐車態様選択部（Ｓ５７５、Ｓ５８０、Ｓ５８５）と、
を備え、
前記駐車態様選択部は、前記障害物検知部により取得された前記位置関係情報に基づく前記態様候補の尤度と、前記特徴形状としての、白線、駐車車両のタイヤ、前記駐車車両のナンバープレートのうちの少なくともいずれか一つの認識結果に基づく前記態様候補の尤度とを統合することで、複数の前記態様候補の各々における最終的な尤度を算出し、算出した複数の前記態様候補の各々における前記最終的な尤度を比較することで、前記駐車態様を複数の前記態様候補のうちから選択するように構成されている。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
穿刺針が挿入される挿入孔を有し、前記挿入孔の先端の開口部から遠ざかるにしたがって径が大きくなる部位を有する拡径部と、前記拡径部が取り付けられて、前記挿入孔の開口方向に沿って長い軸体と、を備えたダイレータであって、
前記拡径部と前記軸体との境界部分は、前記軸体の軸心を法線とする仮想平面を横切る線分を少なくとも１つ含む境界線を有することを特徴とするダイレータ。
【請求項２】
前記拡径部と前記軸体とが接触する接触面は、前記仮想平面に平行である、請求項１に記載のダイレータ。
【請求項３】
前記境界線は、前記仮想平面を垂直に複数回横切る、請求項１または２に記載のダイレータ。
【請求項４】
前記境界線は、前記仮想平面を斜めに複数回横切る、請求項１または２に記載のダイレータ。
【請求項５】
前記拡径部と連結する拡径部連結部と、前記軸体と連結する軸体連結部と、を有し、前記拡径部及び前記軸体と連結することによって前記拡径部と前記軸体とを接続する接続部と、をさらに有する、請求項１から４のいずれか１項に記載のダイレータ。
【請求項６】
前記接続部は、先端が穿刺針を保持する針支持体である、請求項５に記載のダイレータ。
【請求項７】
前記軸体は前記軸心と平行な凸条部を有し、前記軸体は、前記軸体連結部が挿入される側の端部に前記軸心に対して斜めに形成された斜面と、当該斜面に続く凹面と、を有する斜め溝を有する、請求項５または６に記載のダイレータ。
【請求項８】
前記接続部の前記軸体連結部は、前記軸体に挿入される突没自在な連結爪を備える、請求項５から７のいずれか１項に記載のダイレータ。
【請求項９】
前記拡径部は前記拡径部に対する前記接続部の角度を定める拡径部側位置合わせ部を備え、前記拡径部連結部は前記拡径部側位置合わせ部と係り合う接続部側位置合わせ部を備える、請求項５から８のいずれか１項に記載のダイレータ。
【請求項１０】
前記接触面が略円環形状であって、前記境界線は前記接触面の外周を６周期から８周期で一周する波形を含む、請求項２に記載のダイレータ。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
遊技の進行状況に応じて画像表示装置に演出画像を表示させる制御を行う演出制御手段と、を備え、
所定の役に対応する入賞形態を示す図柄組合せが第１図柄を含んで構成され、当該図柄組合せが有効ライン上に表示された場合に入賞の判定に関わらない無効ライン上に前記第１図柄のみによって構成される図柄組合せが表示される場合が存在し、
前記演出制御手段が、
前記所定の役が当選した遊技において回転中のリールが存在している状況で、前記第１図柄を示す表示物または前記第１図柄を模した図柄を示す表示物のいずれかである第１特定表示物と、前記第１図柄とは異なる第２図柄を示す表示物または前記第２図柄を模した図柄を示す表示物のいずれかである第２特定表示物とを含む演出画像を前記画像表示装置に表示させた場合に、全てのリールが停止した状況において前記第１図柄を含む入賞形態を示す図柄組合せが有効ライン上に表示されている場合に前記第１特定表示物を前記第２特定表示物よりも強調して表示する表示強調処理を行うことを特徴とする遊技機。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
袋状に形成した表皮の内側に発泡体を充填して成形した表皮一体型成形品であって、
前記袋状に形成した表皮には前記表皮の内側に前記発泡体を成形するために発泡原料を
供給するための開口部が形成されており、
前記開口部を挟む表皮のうち一方の側の表皮は前記開口部の内側に折れ曲がっており、
前記開口部を挟む表皮のうち他方の側の表皮は前記開口部の内側に折れ曲がった先に折
れ曲がりやすく形成された部分を有し、
前記一方の側の表皮の前記開口部の内側に折れ曲がった部分と前記他方の側の表皮の前
記開口部の内側に折れ曲がった部分とは前記開口部の両端側では互いに密着して前記開口
部の中央部付近では間隙を空けて対向しており、
前記一方の側の表皮の前記開口部の内側に折れ曲がった部分と前記他方の側の表皮の前
記開口部の内側に折れ曲がった部分とが前記間隙を空けて対向している部分において前記
他方の側の表皮の前記折れ曲がりやすく形成された部分よりも先の部分が、前記一方の側
の表皮の前記開口部の内側に折れ曲がった部分に密着して形成されている
ことを特徴とする表皮一体型成形品。
【請求項２】
請求項１記載の表皮一体型成形品であって、前記開口部を挟む表皮のうちの前記他方の
側の表皮には、前記開口部の内側に折れ曲がった部分又は前記折れ曲がりやすく形成され
た部分よりも先の部分に、前記袋状に形成した表皮の内側に前記発泡体を成形するために
発泡原料を供給するためのノズルを通す穴であって前記ノズルの径よりも小さい径の穴が
形成されていることを特徴とする表皮一体型成形品。
【請求項３】
請求項１又は２に記載の表皮一体型成形品であって、前記開口部を挟む表皮のうちの前
記他方の側の表皮の前記折れ曲がりやすく形成された部分は、前記表皮の他の部分よりも
薄く形成されていることを特徴とする表皮一体型成形品。
【請求項４】
請求項３記載の表皮一体型成形品であって、前記開口部を挟む表皮のうちの前記他方の
側の表皮の前記折れ曲がりやすく形成した部分は、ミシンの縫い目が形成されてまたは加
熱成形されて前記表皮の他の部分よりも薄く形成されていることを特徴とする表皮一体型
成形品。
【請求項５】
請求項１又は２に記載の表皮一体型成形品であって、前記開口部を挟む表皮のうちの前
記他方の側の表皮の前記折れ曲がりやすく形成した部分は、前記開口部の内側に折れ曲が
った部分に、別部品が接合されて形成されていることを特徴とする表皮一体型成形品。
【請求項６】
請求項５記載の表皮一体型成形品であって、前記開口部を挟む表皮のうちの前記他方の
側の表皮の前記折れ曲がりやすく形成した部分は、前記開口部の内側に折れ曲がった部分
に、別部品を縫製によりまたは別部品を熱圧着して縫着することにより接合して形成され
ていることを特徴とする表皮一体型成形品。
【請求項７】
請求項１記載の表皮一体型成形品であって、前記開口部を挟む表皮のうちの前記他方の
側の表皮には、前記開口部の内側に折れ曲がった部分又は前記折れ曲がりやすく形成され
た部分よりも先の部分に、前記袋状に形成した表皮の内側に前記発泡体を成形するために
発泡原料を供給するための柔軟なチューブを通す穴が形成されていることを特徴とする表
皮一体型成形品。
【請求項８】
袋状に形成した表皮の内側に発泡体を充填して成形する表皮一体型成形品の製造方法で
あって、
前記袋状に形成した表皮には前記表皮の内側に前記発泡体を成形するために発泡原料を
供給するための開口部が形成されており、
前記開口部を挟む表皮のうち一方の側の表皮は前記開口部の内側に折れ曲がっており、
前記開口部を挟む表皮のうち他方の側の表皮は前記開口部の内側に折れ曲がった部分の
先が折り曲がりやすく形成されていて前記開口部の内側に折れ曲がった部分又は前記折り
曲がりやすく形成された部分には前記袋状に形成した表皮の内側に前記発泡原料を供給す
るノズルを通すための穴であって前記ノズルの径よりも小さい件の穴が形成されており、
前記開口部を挟む表皮のうち前記他方の側の表皮に形成された前記ノズルを通すための穴に前記ノズルを通し、
前記開口部を前記開口部の長手方向に引張って前記一方の側の表皮の前記開口部の内側
に折れ曲がった部分と前記他方の側の表皮の前記開口部の内側に折れ曲がった部分とを前
記穴に通した前記ノズルから離れた部分で密着させ、
前記一方の側の表皮の前記開口部の内側に折れ曲がった部分と前記他方の側の表皮の前
記開口部の内側に折れ曲がった部分とを前記穴に通した前記ノズルから離れた部分で密着させた状態で前記穴に通した前記ノズルを引き戻すことにより、前記他方の側の表皮の前記折り曲がりやすく形成された部分を折り曲げて前記他方の側の表皮の前記折り曲がりやすく形成された部分よりも先の部分を、前記ノズルの近傍で前記一方の側の表皮の前記開口部の内側に折れ曲がった部分と前記他方の側の表皮の前記開口部の内側に折れ曲がった部分とが密着していない部分において前記一方の側の表皮の前記開口部の内側に折れ曲がった部分に押し当て、
前記他方の側の表皮の前記折り曲がりやすく形成された部分を前記一方の側の表皮の前
記開口部の内側に折れ曲がった部分に押し当てた状態で前記ノズルから前記袋状に形成し
た表皮の内側に前記発泡原料を供給し、
前記供給した発泡原料を発泡させることにより前記袋状に形成した表皮の内側に前記発泡体を充填させる
ことを特徴とする表皮一体型成形品の製造方法。
【請求項９】
請求項８記載の表皮一体型成形品の製造方法であって、前記開口部を前記開口部の長手
方向に引張って前記一方の側の表皮の前記開口部の内側に折れ曲がった部分と前記他方の
側の表皮の前記開口部の内側に折れ曲がった部分とを前記穴に通した前記ノズルから離れた部分で密着させた状態で、前記穴に通した前記ノズルを引き戻して前記他方の側の表皮の前記折れ曲がりやすく形成された部分より先の部分を前記一方の側の表皮の前記開口部の内側に折れ曲がった部分の端部に押し当てることにより、前記ノズルを挟んで前記一方の側の表皮の前記開口部の内側に折れ曲がった部分と前記他方の側の表皮の前記開口部の内側に折れ曲がった部分とで形成する空間と前記袋状に形成した表皮の内側の空間とを遮断することを特徴とする表皮一体型成形品の製造方法。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
所定の遊技領域に配置された始動口と、
第二領域側を流下する遊技球のほうが、第一領域側を流下する遊技球よりも、入球が容易となる位置に配置されている、遊技球が入球可能な入球口と、
遊技の進行を制御する主遊技部と、
情報を表示可能な情報表示部と、
情報表示部への情報表示を制御する副遊技部と
を備え、
主遊技部は、
始動口への入球を契機に、特別図柄の変動表示を特別図柄表示装置にて実行し、
特別図柄表示装置において所定態様の特別図柄が停止表示された場合に特別遊技を実行可能であり、
遊技の状態に基づき、第一領域側と第二領域側とのどちらに遊技球を発射するべきかに関わる情報である推奨発射情報を生成して副遊技部へ送信可能であり、
副遊技部は、
主遊技部から送信された推奨発射情報を受信する遊技情報受信手段を備え、
遊技情報受信手段により受信された推奨発射情報に基づき、遊技球を第一領域側に向けて発射するよう報知可能な遊技情報である第一報知画像と遊技球を第二領域側に向けて発射するよう報知可能な遊技情報である第二報知画像とを情報表示部にて表示するよう制御可能に構成されており、
主遊技部は、１の特別図柄の変動表示が開始されたのち、前記１の特別図柄の変動表示の次に行われる特別図柄の変動表示が開始されるまでの間に、推奨発射情報を少なくとも１回生成して副遊技部へ送信し、
副遊技部は、
遊技の実行が所定時間ない場合に、前記情報表示部において待機デモを表示可能であり、
前記待機デモの表示中の少なくとも一部の期間において、推奨される遊技球の発射位置を報知可能に構成されている
ことを特徴とするぱちんこ遊技機。
【手続補正２】
【補正対象書類名】明細書
【補正対象項目名】０００６
【補正方法】変更
【補正の内容】
【０００６】
本態様に係るぱちんこ遊技機は、
所定の遊技領域に配置された始動口と、
第二領域側を流下する遊技球のほうが、第一領域側を流下する遊技球よりも、入球が容易となる位置に配置されている、遊技球が入球可能な入球口と、
遊技の進行を制御する主遊技部と、
情報を表示可能な情報表示部と、
情報表示部への情報表示を制御する副遊技部と
を備え、
主遊技部は、
始動口への入球を契機に、特別図柄の変動表示を特別図柄表示装置にて実行し、
特別図柄表示装置において所定態様の特別図柄が停止表示された場合に特別遊技を実行可能であり、
遊技の状態に基づき、第一領域側と第二領域側とのどちらに遊技球を発射するべきかに関わる情報である推奨発射情報を生成して副遊技部へ送信可能であり、
副遊技部は、
主遊技部から送信された推奨発射情報を受信する遊技情報受信手段を備え、
遊技情報受信手段により受信された推奨発射情報に基づき、遊技球を第一領域側に向けて発射するよう報知可能な遊技情報である第一報知画像と遊技球を第二領域側に向けて発射するよう報知可能な遊技情報である第二報知画像とを情報表示部にて表示するよう制御可能に構成されており、
主遊技部は、１の特別図柄の変動表示が開始されたのち、前記１の特別図柄の変動表示の次に行われる特別図柄の変動表示が開始されるまでの間に、推奨発射情報を少なくとも１回生成して副遊技部へ送信し、
副遊技部は、
遊技の実行が所定時間ない場合に、前記情報表示部において待機デモを表示可能であり、
前記待機デモの表示中の少なくとも一部の期間において、推奨される遊技球の発射位置を報知可能に構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
第二領域側を流下する遊技球のほうが、第一領域側を流下する遊技球よりも、入球が容易となる位置に配置されている、遊技球が入球可能な入球口（例えば、第２主遊技始動口Ｂ１０）と、
遊技の進行を制御する主遊技部（例えば、主制御基板Ｍ）と、
情報を表示可能な情報表示部（例えば、演出表示装置ＳＧ）と、
情報表示部（例えば、演出表示装置ＳＧ）への情報表示を制御する副遊技部（例えば、副制御基板Ｓ）と
を備え、
主遊技部（例えば、主制御基板Ｍ）は、
遊技の状態に基づき、第一領域側と第二領域側とのどちらに遊技球を発射するべきかに関わる情報である主遊技推奨発射情報を生成可能であり、
主遊技推奨発射情報として、第一領域側に遊技球を発射するべきかに関わる情報である第一主遊技推奨発射情報と、第二領域側に遊技球を発射するべきかに関わる情報である第二主遊技推奨発射情報と、を少なくとも有しており、
生成した主遊技推奨発射情報と遊技の状態に関する情報とを副遊技部（例えば、副制御基板Ｓ）側へ送信する遊技情報送信手段と
を備え、
副遊技部（例えば、副制御基板Ｓ）は、
主遊技部（例えば、主制御基板Ｍ）側から送信された主遊技推奨発射情報と遊技の状態に関する情報とを受信する遊技情報受信手段と、
主遊技部（例えば、主制御基板Ｍ）から受信した遊技の状態に関する情報に基づき、第一領域側と第二領域側とのどちらに遊技球を発射するべきかに関わる情報である副遊技推奨発射情報を生成して記憶可能であり、
副遊技推奨発射情報として、第一領域側に遊技球を発射するべきかに関わる情報である第一副遊技推奨発射情報と、第二領域側に遊技球を発射するべきかに関わる情報である第二副遊技推奨発射情報と、を少なくとも有しており、
遊技球を第一領域側に向けて発射するよう報知可能な遊技情報である第一報知画像と遊技球を第二領域側に向けて発射するよう報知可能な遊技情報である第二報知画像とを情報表示部（例えば、演出表示装置ＳＧ）にて表示可能に構成されており、
主遊技部（例えば、主制御基板Ｍ）側から第一主遊技推奨発射情報を受信した場合、記憶している副遊技推奨発射情報が第一副遊技推奨発射情報である場合には、当該記憶している第一副遊技推奨発射情報に基づき、第一報知画像を表示し得るよう構成されており、
主遊技部（例えば、主制御基板Ｍ）側から第一主遊技推奨発射情報を受信した場合、記憶している副遊技推奨発射情報が第二副遊技推奨発射情報である場合には、当該受信した第一主遊技推奨発射情報に基づき、第一報知画像を表示し得るよう構成されており、
主遊技部（例えば、主制御基板Ｍ）側から第二主遊技推奨発射情報を受信した場合、記憶している副遊技推奨発射情報が第二副遊技推奨発射情報である場合には、当該記憶している第二副遊技推奨発射情報に基づき、第二報知画像を表示し得るよう構成されており、
主遊技部（例えば、主制御基板Ｍ）側から第二主遊技推奨発射情報を受信した場合、記憶している副遊技推奨発射情報が第一副遊技推奨発射情報である場合には、当該受信した第二主遊技推奨発射情報に基づき、第二報知画像を表示し得るよう構成されている
ことを特徴とするぱちんこ遊技機である。
【手続補正書】
【提出日】令和1年11月18日(2019.11.18)
【手続補正１】
【補正対象書類名】明細書
【補正対象項目名】００４５
【補正方法】変更
【補正の内容】
【００４５】
計測側の構成例ＥＸ２は、パソコン１１５と複数の計測装置２Ａとを含むシステムである。計測装置２Ａはビデオカメラなどの撮影装置である。パソコン１１５は、撮影装置２Ａが撮影した画像の処理機能と、ネットワーク１１０を介した無線通信機能とを備える。ゴルファは試打室等で試打を行う。試打室等において複数の撮影装置２Ａによりゴルファを多方向から撮影し、ゴルフクラブ１０１の３次元的な挙動が撮影される。撮影画像はパソコン１１５に取り込まれて解析され、情報処理装置３側で処理可能な所定の形式のデータとして、情報処理装置３へ送信する。情報処理装置３は、推奨ゴルフクラブを特定して、パソコン１１５へその情報を送信する。パソコン１１５では、受信した情報を表示する。つまり、図７のＳ１１を計測装置２Ａで行い、Ｓ１２をパソコン１１５及び情報処理装置３で実行し、Ｓ１３及びＳ１４を情報処理装置３で実行し、Ｓ１５をパソコン１１５及び情報処理装置３で実行し、Ｓ１６をパソコン１１５で実行する。実行方法はこれに限らず、例えば、Ｓ１４を情報処理装置３で実行し、Ｓ１４で生成した情報をパソコン１１５へ送信し、パソコン１１５により、推奨ゴルフクラブを特定してもよい。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
家畜に、二つのデバイス１、２を設け、前記デバイス１には、家畜の行動把握センサと無線通信回路を設け、前記デバイス２には、生体情報センサと無線通信回路とID回路とを設け、前記デバイス１は、前記デバイス２からの生体情報を受信し、前記行動把握センサと共に、無線中継局を介して家畜管理サーバへ送信し、該家畜管理サーバでは、個々の家畜の行動と生体情報を定期的に観察し、個々の家畜への健康・行動管理を行うことを特徴とする家畜の放牧管理システム。
【請求項２】
請求項１における行動把握センサは３次元加速度センサよりなり、該センサの出力波形より家畜の歩行中、横伏中、採食中を判断することを特徴とする家畜の放牧管理システム。
【請求項３】
請求項１において、前記デバイス1は刺激ドライバを具備し、該刺激ドライバは、振動、音、音楽によるドライブ方法を有し、家畜の行動を指示するために好適なドライブ方法を学習しながら、前記ドライブ方法が家畜管理サーバにより指示されることを特徴とする家畜の放牧管理システム。
【請求項４】
請求項１において、前記デバイス１は複数のLEDを具備し、前記行動把握センサの出力に基づいて、家畜の行動が正常か異常かを判断し、正常状態、異常状態に応じ、前記LEDの点灯色を変化させることを特徴とする家畜の放牧管理システム。
【請求項５】
牧場内に複数の照明装置とスピーカを配置するとともに、請求項１におけるデバイス１は、GPSセンサを具備し、該GPSセンサの情報から家畜の移動が必要と判断された時は、該GPSセンサの情報から得られる家畜の存在箇所の近傍にある照明装置とスピーカを点灯、発音させ、家畜を所定の場所に移動させることを特徴とする請求項１の家畜の放牧管理システム。
【請求項６】
畜舎内に、無線通信回路を具備し家畜管理サーバと通信するデバイス３が設置され、請求項１において、家畜が畜舎内にいる時は前記デバイス１が取り外され、該デバイス３が複数の家畜から前記デバイス２のID符号を取得するに際し、取得したID符号を通知しながら、新しいID符号を順次に取得していくことを特徴とする家畜の放牧管理システム。  
【手続補正２】
【補正対象書類名】明細書
【補正対象項目名】０００８
【補正方法】変更
【補正の内容】
【０００８】
家畜の飼育者は、個々の家畜の健康状態を把握でき、畜舎（牛や馬などの家畜の舎）内での家畜への餌の与え方や、翌日の放牧グループの編成などに工夫ができ、工夫した効果の測定も随時把握できる。
【手続補正３】
【補正対象書類名】明細書
【補正対象項目名】００１９
【補正方法】変更
【補正の内容】
【００１９】
無線中継局４は、デバイスAや、後記するデバイスCとLPWA（Low  Power  Wide  Area）方式で無線通信する無線基地局のようなもので、デバイスA、デバイスBから得られる個々の牛の活動情報を管理サーバ１に中継する機能を持つ。無線中継局４と管理サーバ１との通信は無線である必要はなく、インタネット回線など公衆の有線通信回線が使用されてもよい。
【手続補正４】
【補正対象書類名】明細書
【補正対象項目名】００３３
【補正方法】変更
【補正の内容】
【００３３】
デバイスAには、牛の行動を把握するため３次元加速度センサ１２が取り付けられていて、牛の走行や、横たわり（横伏せ）を検出するとともに、採食時に耳や首が移動することを検知する。耳や首の移動量検知では、採食の検知能力が十分でないときは、図示しないが、採食センサを牛の口に近い鼻に付けることで、より正確な測定ができる。
【手続補正５】
【補正対象書類名】明細書
【補正対象項目名】００５８
【補正方法】変更
【補正の内容】
【００５８】
また、戻らない牛の場所（放牧場内エリア）が特定できるので、そのエリアに近い照明設備２を点灯するとともにスピーカ３から音楽を流し、牛の移動を確認しながら、点灯する照明や、スピーカの発音を順次的に切り替え（例えば、L3からL2へと）牛舎へ導く方法も採れよう。
なお、上記の例では、牛舎に戻る例について説明したが、牛舎に限らず牛を移動させたい場所（例えば、落雷避難所や牛の一時休憩所）に、牛を移動させたいときも、この方法は適用可能である。
【手続補正６】
【補正対象書類名】明細書
【補正対象項目名】００７６
【補正方法】変更
【補正の内容】
【００７６】
上記の説明では、無線通信方式としてLPWAで説明したが、デバイスAと無線中継局間は、牧場が公衆携帯電話のサービスエリア内であれば、３Gや４Gの公衆携帯電話網を利用してもよい。デバイスBとデバイスA間は低消費電力が要求されるので、LPWA以外の特定小電力やブルーツースなどの無線方式もよいだろう。また、家畜の行動把握のために3次元加速度センサを用いる例を説明したが、3次元加速度センサを用いず、GPSセンサ情報を高さ情報を含めて詳細に観察することで、家畜の歩行中、横伏中、採食中を判断することは可能である。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
第１アームと、
前記第１アームに対して回動可能に配置されている第２アームと、
第３アームと、
前記第３アームに対して回動可能に配置されている第４アームと、
前記第１アームに対して回動する駆動力を前記第２アームに伝達する第１駆動装置と、
前記第３アームに対して回動する駆動力を前記第４アームに伝達する第２駆動装置と、
前記第１駆動装置及び前記第２駆動装置を制御する制御部と、
を有し、
前記第１駆動装置及び前記第２駆動装置は、前記制御部に対してバス型とデイジーチェーン型との両方で接続されていることを特徴とするロボット。
【請求項２】
前記第２アームと前記第３アームとは、一体であることを特徴とする請求項１に記載のロボット。
【請求項３】
前記制御部は、前記デイジーチェーン型の接続を用いて、前記第１駆動装置及び前記第２駆動装置毎に異なるＩＤを付与することを特徴とする請求項１又は２に記載のロボット。
【請求項４】
前記ＩＤは、前記制御部の起動時に付与されることを特徴とする請求項３に記載のロボット。
【請求項５】
前記第１駆動装置及び前記第２駆動装置は、前記ＩＤが記録された記録部を有することを特徴とする請求項３又は４に記載のロボット。
【請求項６】
前記第１駆動装置及び前記第２駆動装置は、前記第２アーム及び前記第４アームの位置を検出するエンコーダーを有することを特徴とする請求項１〜５のいずれか一項に記載のロボット。
【請求項７】
前記第１駆動装置及び前記第２駆動装置は、前記第２アーム及び前記第４アームを駆動するモーターと、前記モーターを制御するモーター制御部と、を有することを特徴とする請求項１〜６のいずれか一項に記載のロボット。
【請求項８】
第１駆動装置と、
第２駆動装置と、
前記第１駆動装置及び前記第２駆動装置を制御する制御部と、
を有し、
前記第１駆動装置及び前記第２駆動装置は、前記制御部に対してバス型とデイジーチェーン型との両方で接続されていることを特徴とする駆動装置。
【請求項９】
前記制御部は、前記デイジーチェーン型の接続を用いて、前記第１駆動装置及び前記第２駆動装置毎に異なるＩＤを付与することを特徴とする請求項８に記載の駆動装置。
【請求項１０】
請求項８又は９に記載の駆動装置を有することを特徴とする印刷装置。
【手続補正２】
【補正対象書類名】明細書
【補正対象項目名】発明の名称
【補正方法】変更
【補正の内容】
【発明の名称】ロボット、駆動装置、及び印刷装置
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
被検者のＸ線透視像を処理する画像処理装置であって、
前記Ｘ線透視像中で気管と食道が分岐する分岐領域を指定する領域指定部と、
前記分岐領域の前記Ｘ線透視像を用いて、検査食の移動領域を抽出する移動領域抽出部と、
前記移動領域に基づき、前記検査食の分岐点を検出する分岐点検出部と、
前記分岐点につながる前記移動領域を用いて、前記検査食による誤嚥が発生しそうなことを判定する誤嚥判定部と、を備える、
ことを特徴とする画像処理装置。
【請求項２】
請求項１に記載の画像処理装置であって、
前記分岐点から気管側の前記移動領域の端点までの距離を判定する距離判定部を備え、
前記誤嚥判定部は、前記距離が所定の閾値を超えてしまった場合に、前記検査食による誤嚥が発生しそうと判定する、
ことを特徴とする画像処理装置。
【請求項３】
請求項１に記載の画像処理装置であって、
前記検査食による誤嚥が発生しそうなことを表示、或いは音で通知する出力部を、更に備える、
ことを特徴とする画像処理装置。
【請求項４】
請求項１に記載の画像処理装置であって、
前記領域指定部は、
検査者が入力する前記被検者の顔の向き、及び前記気管と前記食道が分岐する領域を用いて、前記分岐領域を指定する、
ことを特徴とする画像処理装置。
【請求項５】
請求項１に記載の画像処理装置であって、
前記Ｘ線透視像を記録する記録部を更に備え、
前記領域指定部、前記移動領域抽出部、前記分岐点検出部は、前記記録部から読み出した前記Ｘ線透視像を処理対象とする、
ことを特徴とする画像処理装置。
【請求項６】
請求項２に記載の画像処理装置であって、
前記移動領域抽出部は、
前記Ｘ線透視像の現在のフレーム、一つ前のフレーム、更に一つ前のフレームの前記分岐領域内の輝度値のフレーム間差分を算出し、前記フレーム間差分を用いて、前記移動領域を抽出する、
ことを特徴とする画像処理装置。
【請求項７】
請求項６に記載の画像処理装置であって、
前記分岐点検出部は、
前記移動領域の細線化を行って移動領域細線を得、
前記距離判定部は、前記分岐点から気管側の前記移動領域細線の端点までの長さを前記距離とする、
ことを特徴とする画像処理装置。
【請求項８】
請求項６に記載の画像処理装置であって、
前記領域指定部が指定した前記分岐領域の、前記現在のフレームと前記一つ前のフレーム間の画素の動きをオプティカルフローから算出し、前記現在のフレームと前記一つ前のフレームの位置合わせを行う位置合わせ部を、更に備える、
ことを特徴とする画像処理装置。
【請求項９】
請求項８に記載の画像処理装置であって、
前記位置合わせ部は、
前記画素の動きを、注目画素とその周辺画素において最も多いオプティカルフローを、前記注目画素のフレーム間の動きとして補正する、
ことを特徴とする画像処理装置。
【請求項１０】
Ｘ線透視像を処理する画像処理装置による誤嚥判定方法であって、
前記Ｘ線透視像中で気管と食道が分岐する分岐領域を指定し、
前記分岐領域で検査食の移動領域を抽出し、前記移動領域に基づき前記検査食の分岐点を検出し、前記分岐点につながる前記移動領域を用いて前記検査食による誤嚥が発生しそうなことを判定する、
ことを特徴とする誤嚥判定方法。
【請求項１１】
請求項１０に記載の誤嚥判定方法であって、
前記分岐点から前記気管側の前記移動領域の端点までの距離を判定し、前記距離が所定の閾値を超えてしまった場合に、前記検査食による誤嚥が発生しそうと判定する、
ことを特徴とする誤嚥判定方法。
【請求項１２】
請求項１１に記載の誤嚥判定方法であって、
前記Ｘ線透視像の現在のフレーム、一つ前のフレーム、更に一つ前のフレームの前記分岐領域内の輝度値のフレーム間差分を算出し、前記フレーム間差分を用いて、前記移動領域を抽出し、
前記移動領域の細線化を行って移動領域細線を得、
前記分岐点から気管側の前記移動領域細線の端点までの長さを前記距離とする、
ことを特徴とする誤嚥判定方法。
【請求項１３】
Ｘ線透視像を撮影して処理するＸ線透視撮影装置であって、
被検者にＸ線照射するＸ線照射部と、
前記被検者を透過したＸ線を検出しＸ線信号を出力するＸ線検出器と、
前記Ｘ線信号を処理しＸ線画像を生成する画像処理部と、
前記Ｘ線画像を表示するＸ線画像表示部と、
前記Ｘ線画像を用いて、前記被検者で誤嚥が発生しそうなことを判定する誤嚥判定装置と、前記Ｘ線透視像の撮影、処理を制御する制御部と、を備え、
前記誤嚥判定装置は、
前記Ｘ線画像中で前記被検者の気管と食道が分岐する分岐領域を指定する領域指定部と、
指定された前記分岐領域の前記Ｘ線画像を用いて、検査食の移動領域を抽出する移動領域抽出部と、
抽出した前記移動領域に基づき、前記検査食の分岐点を検出する分岐点検出部と、
前記分岐点と前記移動領域の気管側の端点までの間の距離を判定する距離判定部と、を備え、
前記距離判定部は、前記距離が所定の閾値を超えてしまった場合に、前記検査食による誤嚥が発生しそうと判定する、
ことを特徴とするＸ線透視撮影装置。
【請求項１４】
請求項１３に記載のＸ線透視撮影装置であって、
前記検査食による誤嚥が発生しそうと判定した場合、表示、或いは音で通知する出力部を更に備える、
ことを特徴とするＸ線透視撮影装置。
【請求項１５】
請求項１４に記載のＸ線透視撮影装置であって、
前記移動領域抽出部は、
前記Ｘ線画像の現在のフレーム、一つ前のフレーム、更に一つ前のフレームの前記分岐領域内の輝度値のフレーム間差分を算出し、前記フレーム間差分を用いて、前記移動領域を抽出し、
前記分岐点検出部は、
前記移動領域の細線化を行って移動領域細線を得、
前記距離判定部は、
前記分岐点から気管側の前記移動領域細線の端点までの長さを前記距離とする、
ことを特徴とするＸ線透視撮影装置。
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
プレーヤキャラクタを行動させるゲームを実行するゲームシステムのためのプログラムであって、
前記プレーヤキャラクタを行動させる行動内容を複数記憶する記憶部と、
前記記憶部に記憶された行動内容のうち所定数の行動内容を、前記プレーヤキャラクタに関連付けてプレーヤに提示する行動内容提示部と、
提示された所定数の行動内容のうちプレーヤによって選択された行動内容を、前記プレーヤキャラクタに実行させる行動実行部としてコンピュータを機能させ、
前記行動内容提示部は、
プレーヤの以前の行動内容の選択結果に基づいて、プレーヤに提示する行動内容を決定することを特徴とするプログラム。
【請求項２】
請求項１において、
プレーヤは複数のプレーヤキャラクタの行動内容を選択し、
前記記憶部には、前記選択結果の履歴が記憶され、
前記行動内容提示部は、
前記記憶部に記憶された第１のプレーヤキャラクタに関連する前記選択結果の履歴に基づいて、プレーヤに提示する第２のプレーヤキャラクタの行動内容を決定することを特徴とするプログラム。
【請求項３】
請求項１において、
前記行動内容提示部は、
前記行動を実行していないゲーム内進行時間が長い前記プレーヤキャラクタほど、ゲーム進行上有利な効果を有する行動内容を、当該プレーヤキャラクタに関連付けて提示することを特徴とするプログラム。
【請求項４】
請求項１において、
プレーヤによって行動内容が選択された場合に、当該行動内容を実行するプレーヤキャラクタに対応付けられた行動ポイントを、当該行動内容に応じて減少させ、対戦の進行に応じて前記行動ポイントを増加させる行動ポイント更新部として更にコンピュータを機能
させ、
前記行動内容提示部は、
前記行動ポイントに基づいて、プレーヤに提示する行動内容を決定し、
前記記憶部に記憶される行動内容は、他のプレーヤキャラクタに対応付けられた行動ポイントを変動させる行動内容を含むことを特徴とするプログラム。
【請求項５】
請求項１乃至４のいずれか１項において、
前記行動内容提示部は、
プレーヤの入力に基づいて、提示されている所定数の行動内容に代えて、新たに決定した所定数の行動内容を提示することを特徴とするプログラム。
【請求項６】
請求項１乃至５のいずれか１項において、
前記行動内容提示部は、
直前に選択された行動内容に基づいて、プレーヤに提示する行動内容を決定することを特徴とするプログラム。
【請求項７】
請求項１乃至６のいずれか１項において、
前記ゲームはプレーヤキャラクタと敵キャラクタとを対戦させるゲームであり、
前記行動内容提示部は、
プレーヤキャラクタと敵キャラクタの状態又は位置関係に基づいて、プレーヤに提示する行動内容を決定することを特徴とするプログラム。
【請求項８】
請求項１乃至７のいずれか１項において、
前記行動内容提示部は、
プレーヤによって行動内容が選択されてから一定時間が経過する度に行動内容を提示することを特徴とするプログラム。
【請求項９】
請求項１乃至８のいずれか１項において、
前記行動実行部は、
前記行動内容提示部が行動内容を提示してからプレーヤによって行動内容が選択されるまでの間、前記ゲームの進行を停止することを特徴とするプログラム。
【請求項１０】
プレーヤキャラクタを行動させるゲームを実行するゲームシステムであって、
前記プレーヤキャラクタを行動させる行動内容を複数記憶する記憶部と、
前記記憶部に記憶された行動内容のうち所定数の行動内容を、前記プレーヤキャラクタに関連付けてプレーヤに提示する行動内容提示部と、
提示された所定数の行動内容のうちプレーヤによって選択された行動内容を、前記プレーヤキャラクタに実行させる行動実行部とを含み、
前記行動内容提示部は、
プレーヤの以前の行動内容の選択結果に基づいて、プレーヤに提示する行動内容を決定することを特徴とするゲームシステム。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
コンピュータシステムに、所与のゲームを実行させるためのプログラムであって、
前記ゲーム内で使用可能なゲーム媒体を当選品として選択する抽選要素であって、１回の発動において複数回の連続した抽選を自動的に実行して各抽選で選択した当選品をプレーヤに付与する連続抽選要素を１回実行する連続抽選要素実行制御手段、
１回の前記連続抽選要素の実行結果に応じて交換特典が異なる交換媒体の種類及び／又は数（以下、包括して「交換媒体付与内容」という）を決定し、当該交換媒体付与内容に従った交換媒体を、当該連続抽選要素による当選品の付与とは別に前記プレーヤに付与する交換媒体付与手段、
前記プレーヤの操作に基づき、前記交換媒体の消費と引き換えに、当該交換媒体に関連付けられた交換特典を前記プレーヤに付与する交換特典付与手段、
として前記コンピュータシステムを機能させるためのプログラム。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
画像形成領域の主走査方向の位置に対応する濃度補正テーブルを用いて、前記主走査方向の濃度特性を補正する画像形成装置において、
前記主走査方向の複数の位置のそれぞれに対応する複数の濃度補正テーブルを記憶する記憶手段と、
画像データを入力する入力手段と、
前記画像データに対する印刷設定を受け付ける受付手段と
前記記憶手段によって記憶された複数の濃度補正テーブルの中から、前記受付手段によって受け付けた印刷設定に基づき、前記画像データの画素の位置に適用する濃度補正テーブルを決定する決定手段と、
前記決定手段によって決定された濃度補正テーブルを用いて、前記画像データの画素に濃度補正を行う補正手段とを有することを特徴とする画像形成装置。
【請求項２】
前記決定手段は、前記印刷設定が画像の回転を行う設定である場合、前記画像データの注目ラインの副走査方向で濃度補正テーブルが変化するように、前記画像データの副走査方向の各位置に、前記記憶された複数の濃度補正テーブルのそれぞれを適用することを特徴とする請求項１に記載の画像形成装置。
【請求項３】
前記決定手段は、前記印刷設定が２枚の画像を１ページに面付けする設定である場合、前記画像データの注目ラインの副走査方向で濃度補正テーブルが変化するように、前記画像データの副走査方向の各位置に、前記記憶された複数の濃度補正テーブルのそれぞれを適用することを特徴とする請求項１に記載の画像形成装置。
【請求項４】
前記補正手段は、前記濃度補正テーブルが適用された画素の濃度補正テーブルを用いて、濃度補正テーブルが適用されなかった画素の濃度補正を行うことを特徴とする請求項１乃至３のいずれか一項に記載の画像形成装置。
【請求項５】
前記印刷設定は、画像の回転、画像の位置調整、画像の解像度、画像を印刷する紙のサイズの少なくともいずれか１つを含むことを特徴とする請求項１乃至４のいずれか一項に記載の画像形成装置。
【請求項６】
前記補正手段によって濃度補正された画像データの回転処理を行う回転処理手段を有することを特徴とする請求項１乃至５のいずれか一項に記載の画像形成装置。
【請求項７】
前記補正手段によって濃度補正された画像データの面付け処理を行う面付け処理手段を有することを特徴とする請求項１乃至５のいずれか一項に記載の画像形成装置。
【請求項８】
画像形成領域の主走査方向の位置に対応する濃度補正テーブルを用いて、前記主走査方向の濃度特性を補正する画像形成方法において、
前記主走査方向の複数の位置のそれぞれに対応する複数の濃度補正テーブルを記憶する記憶ステップと、
画像データを入力する入力ステップと、
前記画像データに対する印刷設定を受け付ける受付ステップと
前記記憶ステップによって記憶された複数の濃度補正テーブルの中から、前記受付ステップによって受け付けた印刷設定に基づき、前記画像データの画素の位置に適用する濃度補正テーブルを決定する決定ステップと、
前記決定ステップによって決定された濃度補正テーブルを用いて、前記画像データの画素に濃度補正を行う補正ステップとを有することを特徴とする画像形成方法。
【請求項９】
コンピュータに、請求項８に記載の画像形成方法を実行させるためのプログラム。
【請求項１０】
画像形成領域の主走査方向の位置に対応する濃度補正テーブルを用いて、前記主走査方向の濃度特性を補正する画像形成装置において、
前記主走査方向の複数の位置のそれぞれに対応する複数の濃度補正テーブルを記憶する記憶手段と、
画像データを回転させるための印刷設定を受信する受信手段と、
受信した前記印刷設定に基づいて、前記複数の濃度補正テーブルのうちから、前記画像データにおける対象画素に適用する濃度補正テーブルを決定する決定手段と、
前記決定手段によって決定された濃度補正テーブルを用いて、前記対象画素の濃度を補正する補正手段とを有し、
前記決定手段は、前記画像データの副走査方向における少なくとも２つの画素の位置に適用される濃度補正テーブルが異なるようにして、前記対象画素に適用する濃度補正テーブルを決定することを特徴とする画像形成装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
シート材を基材に貼り付けてシート材付き製品を製造する装置であって、
流体が注入される内部空間と、前記内部空間に前記流体が注入されることで膨出可能な膨出部材と、を備える膨張部と、
前記基材と前記膨出部材との間に前記シート材が取り付けられる固定部と、
前記固定部に対して、前記シート材の固定及びその解除を可能とする固定機構と、
を備えており、
前記膨張部は、前記内部空間に前記流体が注入された際に膨出した前記膨出部材で、前記基材と前記膨出部材との間に配設される前記シート材を前記基材に押し付けて貼着する、シート材付き製品の製造装置。
【請求項２】
前記固定部は、前記シート材を張った状態で固定可能に構成されている請求項１に記載の製造装置。
【請求項３】
前記固定部は、前記シート材の両面を掴んで前記シート材を張った状態で挟持する複数の挟持部を含む請求項１又は２に記載の製造装置。
【請求項４】
前記固定機構は、前記挟持部に対して、前記シート材を挟持する方向への圧力を印加及び解除することが可能な固定機構を含み、
前記挟持部は、前記挟持部の前記固定機構による前記シート材への圧力の印加及び解除により前記シート材を着脱可能に構成されている請求項３に記載の製造装置。
【請求項５】
前記挟持部は、上板部分及び下板部分の一対の板状部分を備え、前記上板部分と前記下板部分との間に挿し込まれた前記シート材の両面を前記一対の板状部分が掴む構成とされている請求項３又は４に記載の製造装置。
【請求項６】
前記固定部は、前記シート材に設けられた貫通孔に挿通されて前記シート材を張った状態で固定する固定ピンを含む請求項１〜５のいずれか１項に記載の製造装置。
【請求項７】
前記固定機構は、前記固定ピンを、前記固定ピンが設けられた固定部ユニットの内方に収容し、かつ、前記固定部ユニットの外方に出すことが可能な固定機構を含み、
前記固定ピンは、前記固定ピンの前記固定機構により、前記固定ピンが前記固定部ユニットの外方に出ている状態において前記シート材を固定し、前記固定ピンが前記固定部ユニット内に収容された状態において前記シート材の固定を解除することが可能に構成されている請求項６に記載の製造装置。
【請求項８】
前記固定部を、前記シート材の平面方向の内側方向及び外側方向に移動させる固定部移動機構を備える請求項１〜７のいずれか１項に記載の製造装置。
【請求項９】
前記固定機構に対して、前記シート材の固定及び解除を制御する制御部を備える請求項１〜８のいずれか１項に記載の製造装置。
【請求項１０】
前記膨張部は、前記内部空間を有すると共に前記シート材が配設される側に前記内部空間に通じた開口を有するケース部材と、前記開口を覆うシート状の前記膨出部材と、を備える請求項１〜９のいずれか１項に記載の製造装置。
【請求項１１】
前記ケース部材の前記開口は、前記シート材と前記基材との貼着対象部位の外形よりも大きい外形を有する請求項１０に記載の製造装置。
【請求項１２】
前記膨張部は、前記シート状の膨出部材の外側に、前記内部空間に前記流体が注入された際に前記シート材が配置される側に膨出可能な保護シートを備える請求項１０又は１１に記載の製造装置。
【請求項１３】
前記基材が取り付けられる取付部と、前記取付部を前記膨張部に対して近づく方向及び離れる方向に移動させる取付部移動機構と、を備える請求項１〜１２のいずれか１項に記載の製造装置。
【請求項１４】
前記膨張部の前記内部空間に前記流体を注入する流体供給部を備える請求項１〜１３のいずれか１項に記載の製造装置。
【請求項１５】
前記膨張部の前記内部空間への前記流体の供給量及び供給時間を制御する制御部を備える請求項１〜１４のいずれか１項に記載の製造装置。
【請求項１６】
前記流体が空気である請求項１〜１５のいずれか１項に記載の製造装置。
【請求項１７】
前記基材が樹脂成形体であり、前記シート材が表皮材である、請求項１〜１６のいずれか１項に記載の製造装置。
【請求項１８】
前記シート材付き製品が自動車用内装部品である請求項１〜１７のいずれか１項に記載の製造装置。
【請求項１９】
シート材を基材に貼り付けてシート材付き製品を製造する方法であって、
流体が注入される内部空間、及び前記内部空間に前記流体が注入されることで膨出可能な膨出部材を備える膨張部と、前記シート材が取り付けられる固定部と、前記固定部に対して、前記シート材の固定及びその解除を可能とする固定機構と、を備えた装置を用い、
前記基材と前記膨出部材との間に前記シート材が位置するように、前記シート材を前記固定部に取り付けて前記基材及び前記シート材を配設する配設工程と、
前記膨張部の前記内部空間に前記流体を注入して前記膨出部材を膨出させ、前記シート材側に膨出した前記膨出部材で前記シート材を前記基材に押し付けて貼着する、貼着工程と、
を含み、
前記貼着工程は、前記シート材を前記固定部で固定したまま前記基材に仮貼着する第一の貼着工程と、
前記第一の貼着工程後、前記固定部による前記シート材の固定を解除して、前記シート材を前記基材に貼着する第二の貼着工程と、
を含むシート材付き製品の製造方法。
【請求項２０】
前記貼着工程において、前記内部空間に前記流体を注入する前に、前記基材を前記シート材に接触させておく請求項１９に記載の製造方法。
【請求項２１】
前記装置が、請求項１〜１８のいずれか１項に記載の製造装置である請求項１９又は２０に記載の製造方法。